(57)【要約】【課題】目地空間部に突出するシート同士を施工容易にかつ収まり良くジョイントすることができる、外壁等の目地部におけるシートのジョイント構造を提供する。【解決手段】例えば外壁目地部において、雌シートジョイント材１０が、目地空間部９内の各防水シート８，８の背後において、柱２などのベース面に取り付けられている。そして、雄シートジョイント材１１が、目地空間部９内の各シート８，８の正面側から、雌シートジョイント材１０に、それらの間に各シート８，８を挟み込むようにして嵌め合わされることで、防水シート８，８同士が止水状態にジョイントされている。【選択図】      図１
2005256505.tif 000002
【特許請求の範囲】
【請求項１】
隣り合う外壁パネルがそれぞれ、外装面材よりも背後においてシートを備え、各シートは該外壁パネル間の目地空間部内に突出する一方、
互いに嵌り合ってシート同士を止水状態にジョイントする雌雄のシートジョイント材が備えられ、
該シートジョイント材の雌雄の一方が、前記目地空間部内の各シートの背後において、目地の延びる方向に向けられて、背後のベース面に取り付けられており、
シートジョイント材の雌雄のもう一方が、前記目地空間部内の各シートの正面側において、目地の延びる方向に向けられ、シートジョイント材の雌雄の前記一方に、それらの間に各シートを挟み込むようにして嵌め合わされることで、前記シート同士が止水状態にジョイントされていることを特徴とする外壁目地部におけるシートのジョイント構造。
【請求項２】
目地空間部に突出するシート同士を止水状態にジョイントする、目地部におけるシートのジョイント構造であって、
互いに嵌り合ってシート同士を止水状態にジョイントする雌雄のシートジョイント材が備えられ、
該シートジョイント材の雌雄の一方が、前記目地空間部内の各シートの背後において、目地の延びる方向に向けられて、背後のベース面に背後から支えられており、
シートジョイント材の雌雄のもう一方が、前記目地空間部内の各シートの手前側において、目地の延びる方向に向けられ、シートジョイント材の雌雄の前記一方に、それらの間に各シートを挟み込むようにして嵌め合わされることで、前記シート同士が止水状態にジョイントされていることを特徴とする目地部におけるシートのジョイント構造。
【発明の詳細な説明】
【技術分野】
【０００１】
本発明は、外壁等の目地部におけるシートのジョイント構造に関する。
【背景技術】
【０００２】
外壁パネルが外装面材よりも背後に透湿防水シートを備えたものからなっている場合に、隣り合う外壁パネル間の目地部で防水シート同士を止水状態にジョイントすることが必要となる。そのような場合のジョイント方法として、両防水シートを、外壁パネル間の目地を通じて屋外側に出し、熱融着でジョイントしたり、あるいは、ジッパー式のファスナーでジョイントした後、丸めて目地内に押し込む方法がある。
【発明の開示】
【発明が解決しようとする課題】
【０００３】
しかしながら、上記のような方法では、防水シートのジョイント部を丸めて目地部内にうまく収めるのが難しく、施工に厄介な面がある。
【０００４】
本発明は、上記のような問題点に鑑み、外壁等の目地空間部内に突出するシート同士を施工容易にかつ収まり良くジョイントすることができる、目地部におけるシートのジョイント構造を提供することを課題とする。
【課題を解決するための手段】
【０００５】
上記の課題は、隣り合う外壁パネルがそれぞれ、外装面材よりも背後においてシートを備え、各シートは該外壁パネル間の目地空間部内に突出する一方、
互いに嵌り合ってシート同士を止水状態にジョイントする雌雄のシートジョイント材が備えられ、
該シートジョイント材の雌雄の一方が、前記目地空間部内の各シートの背後において、目地の延びる方向に向けられて、背後のベース面に取り付けられており、
シートジョイント材の雌雄のもう一方が、前記目地空間部内の各シートの正面側において、目地の延びる方向に向けられ、シートジョイント材の雌雄の前記一方に、それらの間に各シートを挟み込むようにして嵌め合わされることで、前記シート同士が止水状態にジョイントされていることを特徴とする外壁目地部におけるシートのジョイント構造（第１発明）によって解決される。
【０００６】
このジョイント構造では、シートジョイント材の雌雄の前記もう一方を、屋外側から、両シートを介して、目地空間部奥方に備えられているシートジョイント材の雌雄の前記一方に嵌め込むことにより、シート同士がシール状態にジョイントされる。従って、従来のように、両シートを屋外側から目地空間部内に丸めて収容するというような施工を行う必要がなくなり、シート同士を施工容易にかつ収まり良くジョイントすることができる。
【０００７】
また、本発明は、目地空間部に突出するシート同士を止水状態にジョイントする、目地部におけるシートのジョイント構造であって、
互いに嵌り合ってシート同士を止水状態にジョイントする雌雄のシートジョイント材が備えられ、
該シートジョイント材の雌雄の一方が、前記目地空間部内の各シートの背後において、目地の延びる方向に向けられて、背後のベース面に背後から支えられており、
シートジョイント材の雌雄のもう一方が、前記目地空間部内の各シートの手前側において、目地の延びる方向に向けられ、シートジョイント材の雌雄の前記一方に、それらの間に各シートを挟み込むようにして嵌め合わされることで、前記シート同士が止水状態にジョイントされていることを特徴とする目地部におけるシートのジョイント構造（第２発明）もその内容とする。
【０００８】
この構造においても、目地空間部内に突出するシート同士を施工容易にかつ収まり良くジョイントすることができる。即ち、本第２発明のジョイント構造は、外壁パネル間の目地空間部内におけるシート同士のジョイントに限らず、床、天井、屋根、屋内等のいろいろなところにおいて、目地空間部内でシート同士を止水状態にジョイントする場合に、広く用いることができるものである。
【発明の効果】
【０００９】
本発明は、以上のとおりのものであるから、外壁等の目地空間部内に突出するシート同士を施工容易にかつ収まり良くジョイントすることができる。
【発明を実施するための最良の形態】
【００１０】
次に、本発明の実施最良形態を図面に基づいて説明する。
【００１１】
図１〜図４に示す実施形態のジョイント構造は、外壁目地におけるシート同士のジョイント構造についてのもので、１，１は外壁パネル、２は柱である。本実施形態の各外壁パネル１は、外装面材３の背面側にパネルフレーム４が備えられると共に、パネルフレーム４と外装面材３との間に発泡樹脂製の断熱材５が備えられ、かつ、断熱材５と外装面材３との間に介設された通気胴縁６によって、断熱材５と外装面材３との間に通気層７が備えられ、断熱材５と通気層７との間に、シートとしての、透湿性を備えた防水シート８が備えられている。
【００１２】
各外壁パネル１，１は、そのパネルフレーム４，４を柱２の両サイドに位置させるようにして建物に組み付けられ、各外壁パネル１の防水シート８，８は、これら外壁パネル１，１間の目地空間部９内に突出するようにして備えられている。
【００１３】
そして、１０，１１が雌雄のシートジョイント材であり、各防水シート８，８は、これら雌雄のシートジョイント材１０，１１によって、目地空間部９内で止水状態にジョイントされている。即ち、雌シートジョイント材１０は、外壁パネル１，１間の目地空間部９内において、目地の延びる方向に延ばされて、防水シート８，８のさらに奥方に位置しているベース面としての柱２の正面部に凹部１２側を屋外側に向けるようにして粘着材等で取り付けられており、凹部１２は、図２（イ）に示すように、くびれ部１２ａとその奥方に備えられた拡がり部１２ｂで構成されている。
【００１４】
また、雄シートジョイント材１１は、同じく、目地９の延びる方向に延ばすことのできる長物からなっていて、凸部１３は、図２（ロ）に示すように、雌シートジョイント材１０の凹部１２に対応する、くびれ部１３ａと膨出部１３ｂとを備えたものからなっている。
【００１５】
これら雌雄のシートジョイント材１０，１１は、凹部１２の部分と凸部１３の部分のいずれか一方又は両方が弾性を備えたものからなっていて、雌シートジョイント材１０に雄シートジョイント材１１を押し付けるようにすることで、凸部１３と凹部１２とが嵌り合うようになされている。なお、弾性は、ゴム性の弾力性によるものであってもよいし、バネ性の弾性によるものであってもよいし、制限はない。
【００１６】
目地空間部９内に突出する防水シート８，８は、雄シートジョイント材１１を、目地の延びる方向に向け、図１（イ）（ロ）に示すように、屋外側から目地空間部９内に挿入して、両防水シート８，８を間に挟んだ状態で、凸部１３を雌シートジョイント材１０の凹部１２に強制的に嵌め込むことで、止水状態にジョイントされている。
【００１７】
上記のジョイント構造によれば、外壁パネル１，１の建方後、目地空間部内に雄シートジョイント材１１を押し込んで雌雄のシートジョイント材１０，１１を嵌合させるだけで、防水シート８，８同士を止水状態にジョイントすることができ、従来のように、両防水シートを屋外側に出してジョイントした後、屋外側から目地空間部内に丸めて収容するというような施工を行う必要がなく、防水シート８，８同士を施工容易にかつ収まり良くジョイントすることができる。従ってまた、図３に示すように、ガスケットなどの一次止水材１５を、防水シート８，８に妨げられることなく、目地９内に適正に設置することができる。
【００１８】
以上に、本発明の実施形態を示したが、本発明はこれに限られるものではなく、発明思想を逸脱しない範囲で各種の変更が可能である。例えば、上記の実施形態では、雌シートジョイント材１０を柱２側に取り付けた場合を示したが、雄シートジョイント材１１を柱２側に取り付けるようにしてもよい。また、シートジョイント材は、柱２に限らず、建物の構造によって、防水シート８の背後に備えられてシートジョイント材の取付けのベースとなりうるような部分に取り付けられていればよい。また、本発明では、外壁パネルに備えられるシートの役割に制限はなく、要は、外壁パネルにおいて、外装面材よりも背後に備えられるシートであればよい。また、本発明が外壁パネル間における防水シートのジョイントに限定されるものでないことは、前述したとおりである。また、シートは、防水シートであってもよいし、透湿防水シートであってもよいし、気密シートであってもよいし、制限はない。
【図面の簡単な説明】
【００１９】
【図１】実施形態のジョイント構造を示すもので、図（イ）はジョイント方法を示す平面断面図、図（ロ）は防水シート同士をジョイントした状態を示す平面断面図である。
【図２】図（イ）は雌シートジョイント材の断面図、図（ロ）は雄シートジョイント材の断面図である。
【図３】同外壁の平面断面である。
【図４】同一部断面分解斜視図である。
【符号の説明】
【００２０】
１…外壁パネル
２…柱（ベース）
３…外装面材
８…防水シート（シート）
９…目地空間部
１０…雌シートジョイント材
１１…雄シートジョイント材
【図１】
2005256505.tif 000003
【図２】
2005256505.tif 000004
【図３】
2005256505.tif 000005
【図４】
2005256505.tif 000006